Podtech/llm-jp-corpus-v4-ja_patent huggingface dataset:
【手続補正書】
【提出日】平成28年8月3日(2016.8.3)
【手続補正１】
【補正対象書類名】特許請求の範囲
【補正対象項目名】請求項１
【補正方法】変更
【補正の内容】
【請求項１】
寛骨臼補綴（１００）を内移植する器具類の組合せであって；
患者の寛骨臼空洞（１０１）内で操作できるようになっている少なくとも１個の器具（１、２）と；
前記器具（１、２）と関節接合されるようになっていて、かつ、寛骨臼空洞（１０１）に対する前記器具（１、２）の正しい向きを識別する基準信号（３１）と照準を合わせるための制御信号（３０）を発信するようになっている少なくとも１個のエミッタ（３）とを備える寛骨臼補綴（１００）を内移植する器具類の組合せ。
【手続補正２】
【補正対象書類名】特許請求の範囲
【補正対象項目名】請求項２
【補正方法】変更
【補正の内容】
【請求項２】
寛骨臼空洞（１０１）から離れて、患者の骨部位に固定され、かつ、前記基準信号（３１）を発信するようになっている第２のエミッタ（３）と関節接合されている寛骨臼基準ガイド（４）をさらに備えている請求項１に記載の器具類の組合せ。
【手続補正３】
【補正対象書類名】特許請求の範囲
【補正対象項目名】請求項３
【補正方法】変更
【補正の内容】
【請求項３】
所望の向きに従って、患者の寛骨臼空洞（１０１）と一時的に結合される寛骨臼較正ガイド（５）をさらに備えており、かつ前記寛骨臼較正ガイド（５）は、前記寛骨臼較正ガイド（５）の向きを識別する較正信号（３２）を発信するようになっているエミッタ（３）と関節接合されるようになっており、前記基準信号（３１）は、前記較正信号（３２）に対して較正されるようになっている請求項２に記載の器具類の組合せ。
【手続補正４】
【補正対象書類名】明細書
【補正対象項目名】００７３
【補正方法】変更
【補正の内容】
【００７３】
ピボット継手６１は、本体６３のＵ字形シート（受け座）内に揺動するように収容されたボールを備えている。この揺動ボールは、締結ノブ３００及び光学コリメータ３と、螺子によって接合されている。尚、当該態様では、光学コリメータ３は、長い形状のレーザープロジェクタである。
【手続補正５】
【補正対象書類名】明細書
【補正対象項目名】００８１
【補正方法】変更
【補正の内容】
【００８１】
このステップでは、寛骨臼空洞１０１から離隔した位置で、前述した寛骨臼基準ガイド４が患者の大腿骨１０２の一部に移植される。光学コリ−タ３は、ガイドと接合されていなければならない。光学コリメータ３は、基準光学信号３１を投影する。基準光学信号３１は、前述したターゲットスクリーン３３に点状スポットを画定する。
【手続補正６】
【補正対象書類名】明細書
【補正対象項目名】００８３
【補正方法】変更
【補正の内容】
【００８３】
基準光学信号３１の較正が完了した直後に、寛骨臼較正ガイド５を抜き出して、寛骨臼空洞１０１から解除する。
【手続補正７】
【補正対象書類名】明細書
【補正対象項目名】００８８
【補正方法】変更
【補正の内容】
【００８８】
この場合も、図１８に示すように、外科医は、基準光学信号３１が発生した点状スポットを、光学較正信号３２によるスポットで視準することにより、器具２を、設定した想定上の基準と簡単に一致させることができる。
【手続補正８】
【補正対象書類名】明細書
【補正対象項目名】００９４
【補正方法】変更
【補正の内容】
【００９４】
１  寛骨臼穿孔器
２  インパクタ
３  光学コリメータ
４  寛骨臼基準ガイド
５  寛骨臼較正ガイド
６  コネクタ
７  大腿骨ガイド
１０  アダプタ
１１  ステム
１２  ヘッド
１３  横向きハンドル
１４ａ  半円形部分  
１４ｂ  半円形部分
１５  締結螺子
１６  横向きフランジ
１７  肩部
１８  くさび型部分
１９  雌型継手
２０  アダプタ
２１  ステム
２２  ヘッド
２３  縦型ハンドル
２４ａ  弾性壁体
２４ｂ  弾性壁体
２５  連結ネジ
２６  端部フランジ
２７  ショルダ
２８  本体
２９  雌型継手
３０ 光学制御信号
３１ 基準光学信号
３２  光学較正信号
３３  ターゲットスクリーン
４０  アダプタ
４１  直線状ステム
４８  着脱ボタン
４９  雌型継手
５０  アダプタ
５１  位置決めベース
５２  支持脚
５３  上方位置決めアーム
５４  中央位置決めアーム
５５  下方位置決めアーム
５６  Ｌ字型ステム
５７  貫通孔
５８  挿入ソケット
５９  雌型継手
６０  締結螺子
６１  ピボット継手
６２  雄型継手
６３  コネクタの本体
６７  アダプタ
７１ａ  孔
７１ｂ  孔
７２ａ  表面
７２ｂ  ブロック
１００  寛骨臼補綴
１０１  寛骨臼空洞
１０２  股関節
１０３  大腿骨
１０４  寛骨臼窩
３００ 締結ノブ
【手続補正９】
【補正対象書類名】図面
【補正対象項目名】図３
【補正方法】変更
【補正の内容】
【図３】
2016514510.tif 000001
【手続補正１０】
【補正対象書類名】図面
【補正対象項目名】図１３
【補正方法】変更
【補正の内容】
【図１３】
2016514510.tif 000002
【手続補正１１】
【補正対象書類名】図面
【補正対象項目名】図１５
【補正方法】変更
【補正の内容】
【図１５】
2016514510.tif 000003
【手続補正１２】
【補正対象書類名】図面
【補正対象項目名】図１６
【補正方法】変更
【補正の内容】
【図１６】
2016514510.tif 000004
【手続補正１３】
【補正対象書類名】図面
【補正対象項目名】図１７
【補正方法】変更
【補正の内容】
【図１７】
2016514510.tif 000005
【手続補正１４】
【補正対象書類名】図面
【補正対象項目名】図１８
【補正方法】変更
【補正の内容】
【図１８】
2016514510.tif 000006
【手続補正書】
【提出日】平成28年9月2日(2016.9.2)
【手続補正１】
【補正対象書類名】特許請求の範囲
【補正対象項目名】全文
【補正方法】変更
【補正の内容】
【特許請求の範囲】
【請求項１】
複合積層体のホットドレープ成形中の層のしわを低減する方法であって、
未硬化の複合積層素材上に引張り材料を載置することと、
成形ツールにおいて前記積層素材をホットドレープ成形することと、
前記積層素材が前記成形ツールで成形されている間、前記引張り材料を用いて前記積層素材を圧縮することと、を含む方法。
【請求項２】
テーブル上で前記積層素材を位置決めすることを更に含み、
前記引張り材料を前記積層素材上に載置することは、前記テーブルに前記引張り材料の外縁を重ねることと、前記テーブルに前記引張り材料の前記外縁を押し付けることと、を含む、請求項１に記載の方法。
【請求項３】
前記引張り材料の前記外縁の押し付けは、前記引張り材料の前記外縁に重量体を置くことにより実行される、請求項１に記載の方法。
【請求項４】
前記ホットドレープ成形は、
前記積層素材に可撓性の成形膜を封着することと、
前記成形膜と前記ツールとの間で真空を引くことと、
前記成形膜を用いて、前記ツールの表面において前記積層素材を成形することと、を含む、請求項１に記載の方法。
【請求項５】
前記引張り材料を用いて前記積層素材を圧縮することは、前記成形膜が前記ツールの表面で前記素材を成形する際に、前記成形膜に対して前記素材を押圧することを含む、請求項４に記載の方法。
【請求項６】
前記積層素材上に前記引張り材料を載置することは、複数のガラス繊維シートを前記積層素材上に載置することを含み、前記ガラス繊維シートは、前記積層素材の実質的に全領域をまとめて覆い、前記シートの各々は、前記積層素材の外縁を越えて延びている、請求項１に記載の方法。
【請求項７】
前記積層素材が、前記成形ツールでホットドレープ成形されている間、前記シートの各々の前記外縁を固定することを更に含む、請求項６に記載の方法。
【請求項８】
複合積層部品をホットドレープ成形により形成する装置であって、
前記部品のアールを形成するための少なくとも１つのコーナー部を含み、複合積層素材を成形するツールと、
前記ツールにおいて前記積層素材を成形するように適合された成形膜と、
前記成形膜と前記積層素材との間の引張り材料とを含み、当該引張り材料は、前記成形中に、前記コーナー部において、前記積層素材に圧縮力を加えることにより、前記アールにおける前記積層素材のしわを低減する、装置。
【請求項９】
前記引張り材料は、少なくとも１つのシートを含み、当該シートは、前記積層素材と対面接触して配置されるとともに、前記積層素材の外縁を越えて延びる外縁部を有しており、
前記引張り材料は、前記ツールにおける前記積層素材の成形中に、前記引張り材料を破れさせる引張り強度を有する、請求項８に記載の装置。
【請求項１０】
前記シートの前記外縁部に沿って前記シートを固定するために、前記外縁部に沿って配置されるとともに、前記外縁部に荷重を加える重量体を更に含む、請求項９に記載の装置。
【請求項１１】
前記引張り材料は、前記積層素材に対して表面粘着性を有するシートを含む、請求項８に記載の装置。
【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
後面と、
前面と、
前記前面と後面との間に充填された流体と、
前記流体内に実装された回折パターンとを備え、
前記レンズの度数は、前記レンズの第１の領域において前記レンズを通して見ることのできる物体の第１の像に焦点を合わせるよう変化可能であり、前記回折パターンは、前記レンズの重なり合う領域において前記回折パターン上に投影される第２の像に焦点を合わせるよう配置され、
前記回折パターンは、前記レンズの前記後面又は前記レンズの側面を介して前記第２の像を受信し、アイウェアの着用者の網膜に焦点を合わせるように配設された、
アイウェア用の調節可能な流体充填のレンズ。
【請求項２】
前記回折パターンは、前記レンズと前記流体との間の境界面に配設される、又は前記前面及び後面から離間する前記流体内で支持される、
請求項１に記載の調節可能な流体充填のレンズ。
【請求項３】
前記前面は、弾性又は粘弾性の膜であって、前記膜が支持部材によってその縁部の周りで保持される弾性又は粘弾性の膜を備え、前記膜は前記後面から離間しており、前記流体の圧力は、前記膜の形状を調節することによって第１の像に焦点を合わせるよう前記レンズの度数を変化させるために調節可能である、
請求項１又は請求項２に記載の調節可能な流体充填のレンズ。
【請求項４】
前記後面は、前記回折パターンが配設される後カバーによって画成される、
請求項１乃至請求項３のいずれか１項に記載の調節可能な流体充填のレンズ。
【請求項５】
前記支持部材及び前記後カバーは、それらの縁部の周りで一緒に可撓性をもって接合されて、前記流体が収容される封止エンベロープを形成する、
請求項４に記載の調節可能な流体充填のレンズ。
【請求項６】
前記流体が収容されるエンベロープをさらに備え、前記エンベロープの一つの壁は前記前面を画成し、前記後面は前記エンベロープの別の壁を備え、前記別の壁は前記後カバーに固定して取り付けられ、前記回折パターンは前記エンベロープ内に配設される、
請求項４に記載の調節可能な流体充填のレンズ。
【請求項７】
前記流体及び前記回折パターンは、屈折率が一致している、
請求項１乃至請求項６のいずれか１項に記載の調節可能な流体充填のレンズ。
【請求項８】
前記回折パターンは、前記後面に対して１０°から９０°の間の角度で前記第２の像を受信するように構成された、
請求項１乃至請求項７のいずれか１項に記載の調節可能な流体充填のレンズ。
【請求項９】
前記後面に実質的に平行に、前記レンズの側面を介して前記第２の像を受信するように構成された、
請求項１乃至請求項７のいずれか１項に記載の調節可能な流体充填のレンズ。
【請求項１０】
前記レンズは、前記前面及び後面を貫通する軸線と、前記第１及び第２の側面の間で前記レンズを横断する幅とを有し、前記回折パターンは、前記軸線に実質的に垂直で、前記軸線に対して鋭角で、前記レンズの側面領域を横断し、前記レンズの中央部分を横断し、又は、前記レンズの幅全体を実質的に横断して配置される、
請求項１乃至請求項９のいずれか１項に記載の調節可能な流体充填のレンズ。
【請求項１１】
前記回折パターンは：回折素子、回折格子、バルクホログラム素子、光学素子、射出瞳拡大器、ビームスプリッタ、エッチングされた素子、フィルム、及びコーティング、のうちの一つ以上を備える、
請求項１乃至請求項１０のいずれか１項に記載の調節可能な流体充填のレンズ。
【請求項１２】
請求項１乃至請求項１１のいずれか１項に記載のレンズを備えるアイウェアの物品。
【請求項１３】
第２の像を前記光学素子に投影するよう配置される像生成装置をさらに備え、任意ではあるが、前記像生成装置はカメラを備える、
請求項１２に記載のアイウェアの物品。
【請求項１４】
前記像生成装置は、マイクロＬＣＤディスプレイ又はＯＬＥＤディスプレイを備える、
請求項１３に記載のアイウェアの物品。
【請求項１５】
前記レンズを保持するフレームと、前記フレームに取り付けられる、又は前記フレーム一部として形成されるテンプルとをさらに備え、前記像生成装置及び／又は前記カメラは前記フレーム又は前記テンプルに担持される、
請求項１３又は請求項１４に記載のアイウェアの物品。
【請求項１６】
前記像生成装置及び／又は前記カメラは：前記フレームのブリッジ；前記フレーム及びテンプルが前記レンズの前記後面と実質的に平行に前記第２の像を投影するために接合される領域内；並びに、前記後面に対して１０°から９０°の間の角度で前記第２の像を投影するための前記テンプルの領域内；のうちの一つ以上に配設される、
請求項１５に記載のアイウェアの物品。
【手続補正書】
【提出日】平成28年6月8日(2016.6.8)
【手続補正１】
【補正対象書類名】特許請求の範囲
【補正対象項目名】全文
【補正方法】変更
【補正の内容】
【特許請求の範囲】
【請求項１】
金属シート（１）であって、ＡｌおよびＭｇを含む金属コーティング（７）によってコーティングされる少なくとも１つの面（５）を有する基材（３）を備え、
金属コーティング（７）の残りの部分が、Ｚｎ、避けられない不純物、および場合によって含まれるＳｉ、Ｓｂ、Ｐｂ、Ｔｉ、Ｃａ、Ｍｎ、Ｓｎ、Ｌａ、Ｃｅ、ＣｒもしくはＢｉから選択される１つ以上のさらなる元素であり、金属コーティング（７）中のさらなる成分のそれぞれの重量基準での含有量は、０．３％未満であり、金属コーティング（７）は、重量基準でのアルミニウム含有量ｔＡｌが３．６％から３．８％であり、重量基準でのマグネシウム含有量ｔＭｇが２．７％から３．３％であり、
金属コーティング（７）は、Ｚｎ／Ａｌ／ＭｇＺｎ２の三元共晶の層状マトリックス（１３）を含む微細構造を有し、
未加工の状態でコーティング（７）の外側表面（２１）での累積的な表面含有量が無いかもしくは５．０％以下のＺｎ樹枝状結晶（１５）、
未加工の状態でコーティング（７）の外側表面（２１）での累積的な表面含有量が無いかもしくは１５．０％以下の二元共晶Ｚｎ／ＭｇＺｎ２花状部（１７）、
未加工の状態でコーティング（７）の外側表面（２１）での累積的な表面含有量が無いかもしくは１．０％未満の二元共晶Ｚｎ／Ａｌ樹枝状結晶、
未加工の状態でコーティング（７）の外側表面（２１）での累積的な表面含有量が無いかもしくは１．０％未満のＭｇＺｎ２島部を含む、金属シート。
【請求項２】
マグネシウム含有量ｔＭｇが、２．９％から３．１％である、請求項１に記載の金属シート。
【請求項３】
重量比Ａｌ／（Ａｌ＋Ｍｇ）が、０．４５以上である、請求項１または２に記載の金属シート。
【請求項４】
微細構造が、二元共晶Ｚｎ／Ａｌの樹枝状結晶を含まない、請求項１から３のいずれか一項に記載の金属シート。
【請求項５】
微細構造が、ＭｇＺｎ２の島部を含まない、請求項１から４のいずれか一項に記載の金属シート。
【請求項６】
未加工の状態でコーティング（７）の外側表面（２１）にある二元共晶Ｚｎ／ＭｇＺｎ２花状部（１７）の累積的な表面含有量が、１０．０％未満である、請求項１から５のいずれか一項に記載の金属シート。
【請求項７】
未加工の状態でコーティング（７）の外側表面（２１）にある二元共晶Ｚｎ／ＭｇＺｎ２花状部（１７）の累積的な表面含有量が、５．０％未満である、請求項６に記載の金属シート。
【請求項８】
未加工の状態でコーティング（７）の外側表面（２１）にある二元共晶Ｚｎ／ＭｇＺｎ２花状部（１７）の累積的な表面含有量が、３．０％未満である、請求項１から７のいずれか一項に記載の金属シート。
【請求項９】
未加工の状態でコーティング（７）の外側表面（２１）にあるＺｎ樹枝状結晶（１５）の累積的な表面含有量が、２．０％未満である、請求項８に記載の金属シート。
【請求項１０】
未加工の状態でコーティング（７）の外側表面（２１）にあるＺｎ樹枝状結晶（１５）の累積的な表面含有量が、１．０％未満である、請求項９に記載の金属シート。
【請求項１１】
微細構造が、三元共晶（１３）のみからなる、請求項１０に記載の金属シート。
【請求項１２】
金属コーティング（７）が、少なくとも塗料層および／または油層で覆われている、請求項１から１１のいずれか一項に記載の金属シート。
【請求項１３】
請求項１から１２のいずれか一項に記載の金属シート（１）を製造する方法であって、
この方法が、少なくとも、
鋼鉄の基材（３）を与える工程と、
浴中で基材（３）を焼入れすることによって、少なくとも１つの面（５）に金属コーティング（７）を堆積させ、基材は、浴の入口での浸漬入口温度Ｔｉが、
（２．３４×ｔＡｌ＋０．６５５×ｔＭｇ−１０．１）×１０−６≦ｅｘｐ（−１０５８４／Ｔｉ）
であり、Ｔｉがケルビン温度である工程と、
金属コーティング（７）を固化する工程とを含む、方法。
【請求項１４】
固化の開始と固化の終了の間のコーティング（７）の冷却速度が、１５℃／ｓ以上である、請求項１３に記載の生産方法。
【請求項１５】
固化の開始と固化の終了の間のコーティング（７）の冷却速度が、２０℃／ｓ以上である、請求項１４に記載の生産方法。
【誤訳訂正書】
【提出日】平成28年2月26日(2016.2.26)
【誤訳訂正１】
【訂正対象書類名】明細書
【訂正対象項目名】００５１
【訂正方法】変更
【訂正の内容】
【００５１】
第１時間スロットにおけるデータ送信率Ｒｄｌ及び第２時間スロットにおけるデータ送信率Ｒｃｏｏｐは下記の数式５のように表わすことができる。
［数式５］
2010541318.tif 000001
（γ：ユーザ間に形成されたチャネルのチャネル利得、Ｐ：基地局において用いられた全体パワー、δ：定数、Ｎ０：ノイズ）
【誤訳訂正２】
【訂正対象書類名】明細書
【訂正対象項目名】００５３
【訂正方法】変更
【訂正の内容】
【００５３】
このとき、数式６において、全体の時間スロットでデータ送信率Ｒｓｕｍが最大になるよう第１時間スロットの長さ又は第２時間スロットの長さを決定しなければならず、また、このとき、上述したように第２時間スロットは、ユーザ間でメッセージがよく伝達されるよう十分な長さを有しなければならない。
【誤訳訂正３】
【訂正対象書類名】明細書
【訂正対象項目名】００５４
【訂正方法】変更
【訂正の内容】
【００５４】
例えば、
［数式６ａ］
Ｔ１Ｒｄｌ≦Ｔ２Ｒｃｏｏｐ＝（Ｔ−Ｔ１）Ｒｃｏｏｐ
が満たされれば、即ち、第１時間スロットの間に送信される総データの量よりも第２時間スロットの間に送信される総データの量が大きくなる。この場合、第２時間スロットの間にユーザ間でメッセージ伝達動作が安定して行われる。
従って、数式６ａの条件と下記の数式７の等式とを満たしながら、数式６のデータ送信率が最大になるように第１時間スロットの長さ及び第２時間スロットの長さを決定しなければならない。
［数式７］
Ｔ１＝｛Ｒｃｏｏｐ／（Ｒｄｌ＋Ｒｃｏｏｐ）｝Ｔ
【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
細胞培養培地、細胞培養フィードまたは細胞培養サプリメントを作製する方法であって、
(a)最小限の容量の水溶液を、細胞培養培地、細胞培養フィードまたは細胞培養サプリメントの乾燥粉末に加え、ペーストを作るステップ、
(b)前記ペーストを激しく混ぜ合わせ、マイクロ懸濁液を形成するステップ、
(c)任意選択で、有効量の抗酸化剤を前記マイクロ懸濁液に加え、混合物を形成するステップ、
前記ステップ(b)のマイクロ懸濁液、または前記ステップ(c)の混合物を、マイクロカプセルまたはビーズが形成されるように、適切なカプセル形成物質でカプセル化するステップ、
前記マイクロカプセルまたはビーズを乾燥するステップ、
を含み、
細胞培養培地、細胞培養フィードまたは細胞培養サプリメントが不安定な物質を含む、方法。
【請求項２】
不安定な成分および抗酸化剤をさらに含む請求項１に従って調製されたマイクロ懸濁液を含む、細胞培養培地、細胞培養フィードまたは細胞培養サプリメント組成物であって、マイクロ懸濁液がカプセル形成マトリックスを使ってビーズとしてマイクロカプセル化されている、細胞培養培地、細胞培養フィードまたは細胞培養サプリメント組成物。
【請求項３】
前記カプセル形成マトリックスの材料が、アルギナート、ポリ−Ｌ−乳酸、キトサン、アガロース、ゼラチン、ヒアルロン酸、コンドロイチン硫酸、デキストラン、硫酸デキストラン、ヘパリン、ヘパリン硫酸、ヘパラン硫酸、ジェランガム、キサンタンガム、グアーガム、水溶性セルロース誘導体およびカラゲナン、からなる群より選択される、請求項２に記載の培地、フィードまたはサプリメント組成物。
【請求項４】
前記ビーズが、コーティング溶液でコートされている、請求項３に記載の培地、フィードまたはサプリメント組成物。
【請求項５】
前記コーティング溶液が、ポリグリコール酸、ＰＬＧＡ（ポリ乳酸・グリコール酸共重合体）、コラーゲン、ポリヒドロキシアルカン酸（ＰＨＡ）、ポリ−ε−カプロラクトン、ポリオルトエステル、ポリ酸無水物、ポリホスファゼン、ポリアミノ酸、ポリジメチルシロキサン、ポリウレタン、ポリテトラフルオロエチレン、ポリエチレン、ポリスルホン、ポリ−メチルメタクリラート、ポリ−２−ヒドロキシエチルメタクリラート、ポリアミド、ポリプロピレン、ポリ塩化ビニル、ポリスチレン、ポリビニルピロリドン、ポリ−Ｌ−リジンおよびポリオルニチン、からなる群より選択される、請求項４に記載の培地、フィードまたはサプリメント組成物。
【請求項６】
キレート化反応種をさらに含む、請求項５に記載の培地、フィードまたはサプリメント組成物。
【請求項７】
前記反応種がカチオン、金属イオンまたは微量元素のいずれかである、請求項６に記載の培地、フィードまたはサプリメント組成物。
【請求項８】
前記キレート化成分が、ＥＤＴＡ、クエン酸塩、スクシナート、シクロデキストリン、クラスレート、デンドリマーおよびアミノ酸、からなる群より選択される、請求項６に記載の培地、フィードまたはサプリメント組成物。
【請求項９】
前記組成物が照射されている、請求項２〜８のいずれか１項に記載の培地、フィードまたはサプリメント組成物。
【請求項１０】
前記照射がガンマ線を使って行われる、請求項９に記載の培地、フィードまたはサプリメント組成物。
【請求項１１】
前記ガンマ線が２５〜１００ｋＧｙである、請求項１０に記載の培地、フィードまたはサプリメント組成物。
【請求項１２】
前記ガンマ線が３０〜５０ｋＧｙである、請求項１０に記載の培地、フィードまたはサプリメント組成物。
【請求項１３】
前記ガンマ線が３０ｋＧｙである、請求項１２に記載の培地、フィードまたはサプリメント組成物。
【請求項１４】
無菌状態でバイオリアクターに加えられる、請求項２〜１３のいずれか１項に記載の培地、フィードまたはサプリメント組成物。
【請求項１５】
前記細胞培養培地、フィードまたはサプリメントが無タンパク質である、請求項２〜１４のいずれか１項に記載の培地、フィードまたはサプリメント組成物。
【請求項１６】
前記マイクロ懸濁液に使われる前記粉末化細胞培養培地がＡＧＴ（先進造粒技術細胞培養培地）である、請求項２〜１５のいずれか１項に記載の培地、フィードまたはサプリメント組成物。
【請求項１７】
乾燥形態細胞培養培地、フィードまたはサプリメントを生成するための、請求項２〜１６のいずれか１項に記載の細胞培養培地、細胞培養フィードまたは細胞培養サプリメント組成物の使用。
【請求項１８】
前記細胞培養培地、フィードまたはサプリメントの保存可能期間を延長するための、請求項２〜１６のいずれか１項に記載の培地、フィードまたはサプリメント組成物の使用。
【請求項１９】
室温で貯蔵し、取り扱うための、請求項２〜１６のいずれか１項に記載の培地、フィードまたはサプリメント組成物の使用。
【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
核酸を含む試料溶液を試料受容部と接触させることによって、試料溶液を石英ファイバーフィルターの試料受容部に収着させる段階と、
試料受容部から離れる方向に向かうウィッキング力の下で洗浄溶液を試料受容部に流すことによって、核酸の大半を試料受容部の近傍に維持しながら、試料受容部を洗浄段階と
を含む方法。
【請求項２】
試料溶液がカオトロピック塩を含む、請求項１記載の方法。
【請求項３】
洗浄溶液がエタノール及びイソプロパノールの１種以上を含む、請求項２記載の方法。
【請求項４】
石英ファイバーフィルターが、粒径２．２μｍ以上、基本重量８５ｇ／ｍ2、厚さ約３００μｍ〜約６００μｍの範囲の粒子に対して、約９８％のの粒子保持効率を有する、請求項１記載の方法。
【請求項５】
石英ファイバーフィルターが、試料受容部から離れた洗浄部を含み、洗浄溶液が洗浄部に添加される、請求項１記載の方法。
【請求項６】
石英ファイバーフィルターが、第１の端部、洗浄部、試料受容部、及び第２の端部を含む長尺ストリップであり、洗浄部が、第２の端部より第１の端部の近くに位置し、試料受容部が、洗浄部より第２の端部の近くに位置する、請求項５記載の方法。
【請求項７】
セルロース、シリカマイクロファイバーフィルター、グラスファイバー、及び石英フィルターの１種以上で作製され、洗浄部及び第２の端部の少なくとも一方と隣接しかつ垂直方向に整列した吸収性パッドを用意することをさらに含む、請求項６記載の方法。
【請求項８】
洗浄部が、第１の端部であり、洗浄段階において、試料受容部を洗浄溶液の表面の外部に位置させながら、洗浄部を洗浄溶液中に浸漬する、請求項６記載の方法。
【請求項９】
セルロース、シリカマイクロファイバーフィルター、グラスファイバー、及び石英フィルターの１種以上で作製され、石英ファイバーフィルターと隣接及び垂直方向に整列した吸収性パッドを用意することをさらに含み、洗浄溶液を試料受容部に添加する、請求項１記載の方法。
【請求項１０】
洗浄後、石英ファイバーフィルターを乾燥させることをさらに含む、請求項１記載の方法。
【請求項１１】
石英ファイバーフィルターを備える装置であって、石英ファイバーフィルターが、
試料溶液と接触させることによって核酸を含む試料溶液を収着させ、試料受容部から離れる方向に向かうウィッキング力の下で洗浄溶液を試料受容部に流した後に、核酸の大半を試料受容部の近傍に維持するための試料受容部
を含んでいる、装置。
【請求項１２】
石英ファイバーフィルターが、粒径２．２μｍ以上、基本重量８５ｇ／ｍ2、厚さ約３００μｍ〜約６００μｍの範囲の粒子に対して、約９８％のの粒子保持効率を有する、請求項１１記載の装置。
【請求項１３】
石英ファイバーフィルターが、試料受容部から空間的に離隔した洗浄部を含む、請求項１１記載の装置。
【請求項１４】
石英ファイバーフィルターが、第１の端部、洗浄部、試料受容部、及び第２の端部を含む長尺ストリップであり、洗浄部が、第２の端部より第１の端部の近くに位置し、試料受容部が、洗浄部より第２の端部の近くに位置する、請求項１３記載の装置。
【請求項１５】
セルロース、シリカマイクロファイバーフィルター、グラスファイバー、及び石英フィルターの１種以上で作製され、洗浄部及び第２の端部の少なくとも一方と隣接しかつ垂直方向に整列して位置する吸収性パッドをさらに備える、請求項１４記載の装置。
【請求項１６】
洗浄部が第１の端部である、請求項１４記載の装置。
【請求項１７】
セルロース、シリカマイクロファイバーフィルター、グラスファイバー、及び石英フィルターの１種以上で作製され、石英ファイバーフィルターと隣接及び垂直方向に整列した吸収性パッドをさらに備える、請求項１１記載の装置。
【請求項１８】
石英ファイバーフィルターをその中に封入する筐体をさらに備える、請求項１１記載の装置。
【請求項１９】
筐体が、試料受容部を露出させる試料用開口部を含む、請求項１８記載の装置。
【手続補正書】
【提出日】平成27年12月15日(2015.12.15)
【手続補正１】
【補正対象書類名】特許請求の範囲
【補正対象項目名】全文
【補正方法】変更
【補正の内容】
【特許請求の範囲】
【請求項１】
ゴルフボールを追跡して画像を表示するためのシステムであって、
ゴルフボールの位置を追跡するためのゴルフボール追跡システムと、
前記ゴルフボール追跡システムと関連付けられた表示デバイスと、
を備え、
前記表示デバイスは、ユーザの頭に装着するように構成され、かつ、前記ゴルフボールの強調画像を前記ユーザの現実世界で視る光景に重ね合わせて表示するために前記ゴルフボールの追跡された位置を使用するように構成された表示システムを含む、システム。
【請求項２】
ユーザインターフェースをさらに備える、請求項１に記載のシステム。
【請求項３】
前記表示デバイスは、眼鏡、ヘルメットおよびバイザーのうちの１つを含む、請求項１に記載のシステム。
【請求項４】
前記表示システムは、強調画像を前記ユーザの現実世界で視る光景に重ね合わせて表示するように前記表示デバイスに関連付けられている、請求項１に記載のシステム。
【請求項５】
前記強調画像は、透光性である、請求項４に記載のシステム。
【請求項６】
ゴルフボールを追跡して画像を表示するためのシステムであって、
ユーザの頭に装着するように構成された表示デバイスと、
前記表示デバイスと関連付けられたカメラであって、前記ユーザの現実世界で視る光景の画像を撮影および記録するように構成されている、カメラと、
ゴルフボールの位置を追跡するように構成されるゴルフボール追跡システムと、
前記カメラ、前記ゴルフボール追跡システムおよび表示システムのうちの少なくとも１つを制御するように構成された少なくとも１つのプロセッサと、
を備え、
前記表示デバイスは、前記カメラによって撮影されたゴルフボールの強調画像を前記ユーザの現実世界で視る光景に重ね合わせて表示するように構成された表示システムを含む、システム。
【請求項７】
前記表示デバイスは、眼鏡、ヘルメットおよびバイザーのうちの１つを含む、請求項６に記載のシステム。
【請求項８】
前記表示システムは、強調画像を前記ユーザの現実世界で視る光景に重ね合わせて表示するように前記表示デバイスのレンズに隣接して配置されている、請求項６に記載のシステム。
【請求項９】
前記ゴルフボール追跡システムは、ゴルフボールを検出するように構成されたゴルフボールセンサを含み、前記プロセッサは、前記ゴルフボールの前記位置を決定するために前記ゴルフボールセンサによって提供された情報を処理するように構成されている、請求項６に記載のシステム。
【請求項１０】
前記ユーザの位置を追跡するように構成されたユーザ追跡システムをさらに備え、前記ユーザ追跡システムは、前記表示デバイス上に配置されている、請求項６に記載のシステム。
【請求項１１】
前記プロセッサは、前記ユーザとランドマークとの間の距離を決定するために前記ユーザ追跡システムによって伝達された情報を使用するように構成されている、請求項１０に記載のシステム。
【請求項１２】
ゴルフボールを追跡して画像を表示するための方法であって、
ユーザの視点からの画像を撮影および記録する工程と、
記録された画像をプロセッサに送信する工程と、
ビューアの視線内に捕捉された前記ゴルフボールの位置を追跡する工程と、
前記ゴルフボールの強調画像を前記ユーザの現実世界で視る光景に重ね合わせて表示する工程と、
を含み、
前記強調画像は、ユーザの頭に装着するように構成された表示デバイス上に表示される、方法。
【請求項１３】
前記ゴルフボールの打ち上げ情報を前記表示デバイス上に表示する工程をさらに含む、請求項１２に記載の方法。
【請求項１４】
前記ユーザの位置を追跡する工程をさらに含む、請求項１２に記載の方法。
【請求項１５】
前記ユーザの位置とランドマークとの間の距離を前記表示デバイス上に表示する工程をさらに含む、請求項１４に記載の方法。
【手続補正書】
【提出日】平成27年12月24日(2015.12.24)
【手続補正１】
【補正対象書類名】特許請求の範囲
【補正対象項目名】全文
【補正方法】変更
【補正の内容】
【特許請求の範囲】
【請求項１】
毛領域アセンブリを有するブラシヘッドを有する歯ブラシであって、
歯ブラシハンドルと、
前記毛領域アセンブリをその遠位端に有するブラシヘッドアセンブリであって、前記毛領域アセンブリを支持するように十分に堅い材料を含む複数の個別のベース層を含む、前記ブラシヘッドアセンブリと、
前記ベース層間に位置付けられる複数の個別の毛層と、
を含み、
前記毛層は、前記ベース層材料とは異なる材料を含み、前記材料は弾性であり、前記毛層は、効果的な歯磨きを提供するために個別の毛要素を形成する厚さを含み、
前記ベース層と毛層とは、前記毛領域アセンブリを形成するように、互いに接合される、歯ブラシ。
【請求項２】
電動歯ブラシであり、前記毛領域アセンブリのブラッシング作用を達成するために動作中に前記ブラシヘッドアセンブリを動かす駆動アセンブリを含む、請求項１に記載の歯ブラシ。
【請求項３】
前記ベース層は、０．１乃至０．７５ｍｍの範囲内の厚さを有する熱可塑性プラスチック材料を含み、前記毛層は、周囲の組織を傷つけることなく歯を磨くことが可能で、０．０５乃至０．２５ｍｍの範囲内の厚さを有する弾性材料を含む、請求項２に記載の歯ブラシ。
【請求項４】
前記毛要素は、約３乃至１０ｍｍの範囲内の長さを有する、請求項２に記載の歯ブラシ。
【請求項５】
前記毛層は、事前選択されるカスタムパターンに従って剛性及び／又は毛構成において個別に変化する、請求項２に記載の歯ブラシ。
【請求項６】
前記毛層は、前記ベース層と交互にされる、請求項２に記載の歯ブラシ。
【請求項７】
前記毛領域アセンブリは、従来の毛領域と同様の長さ及び幅を有する、請求項２に記載の歯ブラシ。
【請求項８】
ハンドルを含む歯ブラシと共に使用するためのブラシヘッドアセンブリであって、
歯ブラシの歯ブラシハンドル部分から延在する又は前記歯ブラシの歯ブラシハンドル部分の一部であるネック部と、
前記ネック部の遠位端にある毛領域アセンブリであって、十分に堅い材料を含み、前記毛領域アセンブリを支持するように構成かつ配置される複数の個別のベース層を含む、前記毛領域アセンブリと、
前記ベース層間に位置付けられる複数の個別の毛層と、
を含み、
前記毛層は、前記ベース層の材料とは異なる材料を含み、前記材料は十分に弾性であり、前記毛層は、効果的な歯磨きを提供するために個別の毛要素を形成する厚さを含み、前記ベース層と前記毛層とは、前記毛領域アセンブリを形成するように、互いに接合される、ブラシヘッドアセンブリ。
【請求項９】
前記毛層は、事前選択されるカスタムパターンに従って長さ及び／又は毛要素構成において個別に変化する、請求項８に記載のブラシヘッドアセンブリ。
【請求項１０】
前記毛層は、前記ベース層と交互にされる、請求項８に記載のブラシヘッドアセンブリ。
【請求項１１】
前記毛領域アセンブリは、従来の毛領域と同様の幅及び長さを有する、請求項８に記載のブラシヘッドアセンブリ。
【請求項１２】
前記毛要素は、約３乃至１０ｍｍの範囲内の長さを有する、請求項８に記載のブラシヘッドアセンブリ。
【手続補正書】
【提出日】平成27年12月22日(2015.12.22)
【手続補正１】
【補正対象書類名】明細書
【補正対象項目名】０１２３
【補正方法】変更
【補正の内容】
【０１２３】
本明細書にて説明した機能の全てあるいは一部を遂行するコンピュータプログラムロジックは、ソースコード形式、コンピュータが実行可能な形式、及び様々な中間の形式（例えば、アセンブラ、コンパイラ、リンカー、又はロケータによって生成された形式）を含む様々な形式で具現化されてもよい。ソースコードは、種々のプログラミング言語（例えば、オブジェクトコード、アセンブリ言語、又はＦｏｒｔｒａｎ，Ｃ，Ｃ＋＋，ＪＡＶＡ（登録商標），もしくはＨＴＭＬ等の高級言語）のうち任意のもので実施される一連のコンピュータプログラム命令を含み得る。さらに、本発明の各実施形態を実施するために使用可能であり、様々なオペレーティングシステム又は操作環境で使用するための、利用可能なコンピュータ言語は何百と存在し、その中でより一般的なものは、Ａｄａ，Ａｌｇｏｌ，ＡＰＬ，ａｗｋ，Ｂａｓｉｃ，Ｃ，Ｃ＋＋，Ｃｏｎｏｌ，Ｄｅｌｐｈｉ，Ｅｉｆｆｅｌ，Ｅｕｐｈｏｒｉａ，Ｆｏｒｔｈ，Ｆｏｒｔｒａｎ，ＨＴＭＬ，Ｉｃｏｎ，Ｊａｖａ（登録商標），Ｊａｖａｓｃｒｉｐｔ（登録商標），Ｌｉｓｐ，Ｌｏｇｏ，Ｍａｔｈｅｍａｔｉｃａ，ＭａｔＬａｂ（登録商標），Ｍｉｒａｎｄａ，Ｍｏｄｕｌａ−２，Ｏｂｅｒｏｎ，Ｐａｓｃａｌ，Ｐｅｒｌ，ＰＬ／Ｉ，Ｐｒｏｌｏｇ，Ｐｙｔｈｏｎ（登録商標），Ｒｅｘｘ，ＳＡＳ（登録商標），Ｓｃｈｅｍｅ，ｓｅｄ，Ｓｉｍｕｌａ，Ｓｍａｌｌｔａｌｋ，Ｓｎｏｂｏｌ，ＳＱＬ，Ｖｉｓｕａｌ  Ｂａｓｉｃ（登録商標），Ｖｉｓｕａｌ  Ｃ＋＋（登録商標），Ｌｉｎｕｘ（登録商標），及びＸＭＬである。ソースコードは、様々なデータ構造や通信メッセージを定義・使用してもよい。ソースコードは（例えばインタープリタを介して）コンピュータが実行可能な形式であってもよく、あるいは、（例えばトランスレータ、アセンブラ、又はコンパイラを介して）コンピュータが実行可能な形式に変換されてもよい。
【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
サルモネラ微生物を検出する方法であって、
試験される試料、
培養装置、
グラム陰性腸内微生物の増殖を促進する栄養培地、
グラム陽性微生物の増殖を阻害する第１の選択物質、
サルモネラ・ボンゴリ種の微生物を含むサルモネラ微生物群のメンバーによって第１の検出可能な生成物に変換され得る第１の鑑別指示薬化合物を含む第１の鑑別指示薬システム、及び
β−ガラクトシダーゼ酵素活性によって第２の検出可能な生成物に変換され得る第２の鑑別指示薬化合物を含む第２の鑑別指示薬システム、を提供することと、
前記培養装置中で、前記栄養培地、前記第１の選択物質、前記第１の鑑別指示薬システム、及び前記第２の鑑別指示薬システムを試料と接触させて、接種済み培養装置を形成することと、
前記接種済み培養装置を第１の時間にわたって４０℃よりも高い温度でインキュベートすることと、
前記培養装置を観察して前記第１の検出可能な生成物の有無を検出することと、
前記培養装置を観察して前記第２の検出可能な生成物の有無を検出することと、を含み、
前記第１の検出可能な生成物の存在を観察することが、サルモネラ微生物が前記試料中に存在する可能性を示し、
前記第２の検出可能な生成物と並行して前記第１の検出可能な生成物の存在を観察することが、サルモネラ・ボンゴリ種のβ−ガラクトシダーゼ産生メンバー以外の微生物が前記試料中に存在することを示す、方法。
【請求項２】
サルモネラ微生物によって第３の検出可能な生成物に変換され得る第３の鑑別指示薬化合物を含む第３の鑑別指示薬システムを有する物品を提供することと、
前記物品を前記接種済み培養装置と接触させることと、
第２の時間にわたって前記接種済み培養装置をインキュベートすることと、
前記培養装置を観察して前記第３の検出可能な生成物を検出することと、を更に含み、
前記第１の検出可能な生成物と並行して前記第３の検出可能な生成物を観察することが、前記試料中のサルモネラ微生物の存在を示す、請求項１に記載の方法。
【請求項３】
腸内微生物によって第４の検出可能な生成物に変換され得る非鑑別指示薬化合物を提供することと、
前記培養装置を観察して前記第４の検出可能な生成物の有無を検出することと、を更に含み、
前記培養装置中で、前記栄養培地、前記第１の選択物質、前記第１の鑑別指示薬システム、及び前記第２の鑑別指示薬システムを試料と接触させて、接種済み培養装置を形成することが、前記培養装置中で、前記栄養培地、前記第１の選択物質、前記第１の鑑別指示薬システム、前記第２の鑑別指示薬システム、及び前記非鑑別指示薬化合物を前記試料と接触させて、前記接種済み培養装置を形成することを更に含む、請求項２に記載の方法。
【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
ゲル化剤と、
グラム陽性微生物の増殖を阻害する少なくとも１つの第１の選択剤と、
少なくとも１つの第１の識別指示化合物を含む第１の識別指示システムと、
ウレアーゼ酵素活性により第２の検出可能な生成物に変換される第２の識別指示化合物を含む第２の識別指示システムと、を含む、半固体の培養培地を含み、
第１の識別指示化合物は、サルモネラ属に属する複数のメンバーにより第１の検出可能な生成物に変換され得るものであり、
第１の識別指示化合物は、前記培養培地の中及び／又は上に検出可能なコロニーを形成する複数の非サルモネラ属のグラム陰性腸内微生物によって変換され得ないものである、組成物。
【請求項２】
試験試料、培養装置、及び請求項１に記載の組成物を準備することと、
播種した培養装置を形成するために前記培養装置内で前記組成物と前記試験試料を接触させることと、
第１の時間、播種された培養装置をインキュベートすることと、
培養装置を観察して、第１の検出可能な生成物を検出することと、を含み、
第１の検出可能な生成物がサルモネラ微生物の存在の第１の指示である、サルモネラ微生物の検出方法。
【請求項３】
サルモネラ微生物によって第４の検出可能な生成物に代謝され得る確定指示化合物を有する物品を提供することと、
前記物品を前記培養培地に接触させることと、
前記装置を第２の時間インキュベートすることと、
前記培養装置を観察して、前記第４の検出可能な生成物を検出することと、を更に含み、
第４の検出可能な生成物が、存在する場合には、第１の検出可能な生成物、第２の検出可能な生成物、及び、第３の検出可能な生成物から区別され得るものであり、
第１の検出可能な生成物と並べて第４の検出可能な生成物を検出することが、前記試料中のサルモネラ微生物の存在の第２の指示である、請求項２に記載の方法。
【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
前方プラグ（２，１０２，２０２，３０２）及びエアロゾル形成基材（７）を含み且つシガレット紙（５）と接触して組み立てられてロッド（１５）を形成する複数の要素を備えた喫煙物品（１，１００，２００，３００）であって、前記シガレット紙が締まり嵌めにより所定位置に前記要素を保持し、前記ロッド（１５）が、唇側端部（２０）及び該唇側端部（２０）から上流側にある遠位端（３０）を有し、前記前方プラグ（２，１０２，２０２，３０２）が、１ｍｍ〜１０ｍｍの長さを有し、前記ロッド（１５）内で前記エアロゾル形成基材（７）の上流側に位置し、前記前方プラグが、エアロゾル発生装置（１１）の加熱要素（８）によって貫通されて、前記加熱要素（８）が、前記前方プラグ（２，１０２，２０２，３０２）を通って前記喫煙物品（１，１００，２００，３００）内に挿入され、前記エアロゾル形成基材（７）と接触でできるようになり、前記前方プラグ（２，１０２，２０２，３０２）が、前記加熱要素（８）が通過できる孔（１０３，３０３）又はスリット（２０３）を定める、喫煙物品（１，１００，２００，３００）。
【請求項２】
前記前方プラグが実質的に円筒形であり、５ｍｍ又はそれよりも大きい直径及び少なくとも２ｍｍの長さを有する、請求項１に記載の喫煙物品。
【請求項３】
前記ロッド（１５）の唇側端部（２０）に位置するフィルタ（３）を更に備える、請求項１又は２に記載の喫煙物品（１，１００，２００，３００）。
【請求項４】
前記前方プラグ（２，１０２，２０２，３０２）が、前記前方プラグ（２，１０２，２０２，３０２）を通って空気を吸い込むことができるようなフィルタ材料を含む、請求項１、２、又は３に記載の喫煙物品（１，１００，２００，３００）。
【請求項５】
前記前方プラグがエアロゾル形成基材材料を含む、請求項１〜４の何れかに記載の喫煙物品。
【請求項６】
前記エアロゾル形成基材材料が、加工タバコを含む、請求項５に記載の喫煙物品。
【請求項７】
前記前方プラグ（２）が、穿孔可能材料から形成される、請求項１から６の何れかに記載の喫煙物品（１，１００，２００，３００）。
【請求項８】
前記前方プラグ（２，２０２）が、前記喫煙物品（１，２００）から前記加熱要素（８）が引き出されるときに前記加熱要素（８）の表面を拭き取るように構成される、請求項１から７の何れかに記載の喫煙物品（１，２００）。
【請求項９】
前記前方プラグ（２，１０２，２０２，３０２）が、前記加熱要素（８）が前記喫煙物品（１，１００，２００，３００）から引き出されるときに前記エアロゾル形成基材（７）の放出を防ぐように構成される、請求項１から８の何れかに記載の喫煙物品（１，１００，２００，３００）。
【手続補正書】
【提出日】平成27年12月7日(2015.12.7)
【手続補正１】
【補正対象書類名】特許請求の範囲
【補正対象項目名】全文
【補正方法】変更
【補正の内容】
【特許請求の範囲】
【請求項１】
溶媒及び原料から飲料を調製するための装置であって、
前記溶媒を収容するための容器と、
前記容器に配置される、前記原料を収容するための浸出器と、
所与の流入流量で前記容器から前記浸出器へと前記溶媒を輸送するためのシステムと、
前記浸出器から前記容器へと前記溶媒を輸送し、前記溶媒の流出流量を前記所与の流入流量に対応する平均値に調整するための構成と、
を有し、
前記構成は、
前記浸出器のなかの第１の開口と、前記容器に現れる前記浸出器の外の第２の開口と、を持ち、前記浸出器の底部を獲って延在する管と、
前記浸出器のなかの前記溶媒の高さに依存して、前記管と協働して、前記第１の開口を遮断するキャップ要素と、
を有する、装置。
【請求項２】
前記キャップ要素はフロートを有する、請求項１に記載の装置。
【請求項３】
前記キャップ要素は更に、前記第１の開口と協働する栓を有する、請求項２に記載の装置。
【請求項４】
前記栓は円筒形である、請求項３に記載の装置。
【請求項５】
前記栓は円錐形である、請求項３に記載の装置。
【請求項６】
前記構成は更に、前記浸出器のなかの前記溶媒のレベルを反映する制御信号に基づいて、前記管に沿って前記キャップ要素を動かすためのアクチュエータを有する、請求項１に記載の装置。
【請求項７】
前記構成は、前記浸出器の底部を通って延在する弁を有し、前記弁は、前記流入流量の値を反映する制御信号に応じて変化する断面を持つ、請求項１に記載の装置。
【請求項８】
前記システムは流体ポンプである、請求項１乃至７のいずれか一項に記載の装置。
【請求項９】
前記システムは、パーコレーション効果に基づくポンプ機構である、請求項１乃至７のいずれか一項に記載の装置。
【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
各位置で互いに接着的に結合し、０．５ｍｌ／ｍｉｎ＊ｃｍ２から１．５ｍｌ／ｍｉｎ＊ｃｍ２の間の空気の浸透性を有する繊維を備えるインプラントの構造体であって、
前記構造体の浸透性を０．２ｍｌ／ｍｉｎ＊ｃｍ２未満まで減少させる、少なくとも片面側の被覆を有することを特徴とするインプラントの構造体。
【請求項２】
前記繊維はポリウレタンで作られることを特徴とする、請求項１に記載のインプラントの構造体。
【請求項３】
前記構造体はフリース材料であることを特徴とする、請求項１又は２に記載のインプラントの構造体。
【請求項４】
前記繊維は円筒を形成するように接着的に結合され、且つ前記被覆は前記円筒の内側の表面に処置されることを特徴とする、請求項１から３のいずれか１項に記載のインプラントの構造体。
【請求項５】
前記被覆はゼラチンを含むことを特徴とする、請求項１から４のいずれか１項に記載のインプラントの構造体。
【請求項６】
前記被覆はコラーゲンを含むことを特徴とする、請求項１から５のいずれか１項に記載のインプラントの構造体。
【請求項７】
前記被覆はフィブリンを含むことを特徴とする、請求項１から６のいずれか１項に記載のインプラントの構造体。
【請求項８】
前記被覆は医薬品を含むことを特徴とする、請求項１から７のいずれか１項に記載のインプラントの構造体。
【請求項９】
前記被覆は、１日から３０日後、及び特に２日から１４日後に、最初の容量の最大１０％まで再吸収されることを特徴とする、請求項１から８のいずれか１項に記載のインプラントの構造体。
【手続補正書】
【提出日】平成28年1月8日(2016.1.8)
【手続補正１】
【補正対象書類名】特許請求の範囲
【補正対象項目名】全文
【補正方法】変更
【補正の内容】
【特許請求の範囲】
【請求項１】
センス鎖とアンチセンス鎖とを含むＲＮＡｉ剤を含む組成物であって、アンチセンス鎖が、表１に示すベータ−カテニンに特異的なＲＮＡｉ剤のアンチセンス鎖と０、１、２または３ヌクレオチド異なる少なくとも１５の連続したヌクレオチドを含む、組成物。
【請求項２】
ベータ−カテニンに対する第２のＲＮＡｉ剤をさらに含む、請求項１に記載の組成物。
【請求項３】
ＲＮＡｉ剤が、少なくとも１つの改変骨格および／または少なくとも１つの２’−改変ヌクレオチドを含む、請求項１に記載の組成物。
【請求項４】
ＲＮＡｉ剤が、診断用化合物、レポーター基、架橋剤、ヌクレアーゼ耐性付与部分、天然または異常核酸塩基、親脂性分子、コレステロール、脂質、レクチン、ステロイド、ウバオール、ヘシゲニン、ジオスゲニン、テルペン、トリテルペン、サルササポゲニン、フリーデリン、エピフリーデラノール由来リトコール酸、ビタミン、炭水化物、デキストラン、プルラン、キチン、キトサン、合成炭水化物、オリゴ乳酸１５マー、天然ポリマー、低分子量または中分子量ポリマー、イヌリン、シクロデキストリン、ヒアルロン酸、タンパク質、タンパク質結合剤、インテグリンターゲティング分子、ポリカチオン、ペプチド、ポリアミン、模倣ペプチドおよび／またはトランスフェリンから選択される１または複数の作用剤にライゲーションされる、請求項１に記載の組成物。
【請求項５】
第１鎖と第２鎖とを含むＲＮＡｉ剤を含む組成物であって、第１鎖および第２鎖が、表１に示すベータ−カテニンに特異的なＲＮＡｉ剤の第１鎖および第２鎖とそれぞれ０、１、２または３ヌクレオチド異なる少なくとも１５の連続したヌクレオチドを含む、組成物。
【請求項６】
ベータ−カテニンに対する第２のＲＮＡｉ剤を含む、請求項１に記載の組成物。
【請求項７】
ＲＮＡｉ剤が、ホスホロチオエートおよび／または２’−改変ヌクレオチドを含む、請求項１に記載の組成物。
【請求項８】
ＲＮＡｉ剤が、診断用化合物、レポーター基、架橋剤、ヌクレアーゼ耐性付与部分、天然または異常核酸塩基、親脂性分子、コレステロール、脂質、レクチン、ステロイド、ウバオール、ヘシゲニン、ジオスゲニン、テルペン、トリテルペン、サルササポゲニン、フリーデリン、エピフリーデラノール由来リトコール酸、ビタミン、炭水化物、デキストラン、プルラン、キチン、キトサン、合成炭水化物、オリゴ乳酸１５マー、天然ポリマー、低分子量または中分子量ポリマー、イヌリン、シクロデキストリン、ヒアルロン酸、タンパク質、タンパク質結合剤、インテグリンターゲティング分子、ポリカチオン、ペプチド、ポリアミン、模倣ペプチドおよび／またはトランスフェリンから選択される１または複数の作用剤にライゲーションされる、請求項１に記載の組成物。
【請求項９】
個体においてベータ−カテニン関連疾患を処置するための医薬組成物であって、センス鎖とアンチセンス鎖とを含むＲＮＡｉ剤を含む治療有効量の組成物を含み、アンチセンス鎖が、表１に示すベータ−カテニンに特異的なＲＮＡｉ剤のアンチセンス鎖と０、１、２または３ヌクレオチド異なる少なくとも１５の連続したヌクレオチドを含む、医薬組成物。
【請求項１０】
ベータ−カテニン関連疾患が、大腸腺腫症、結腸直腸癌、基底細胞癌腫、乳癌、腎癌、ウイルムス腫瘍、髄芽腫、卵巣癌、副腎皮質腫瘍、胃癌、肝癌、黒色腫、膵癌、前立腺癌、腎癌、異所性歯牙および味覚乳頭、皮膚癌、石灰化上皮腫、組織非形成性甲状腺癌腫および子宮癌肉腫、部分的無歯症、骨粗鬆症、老化、変性疾患、褥瘡、ならびに慢性創傷および創傷治癒障害から選択される、請求項９に記載の医薬組成物。
【請求項１１】
大腸腺腫症、結腸直腸癌、基底細胞癌腫、乳癌、腎癌、ウイルムス腫瘍、髄芽腫、卵巣癌、副腎皮質腫瘍、胃癌、肝癌、黒色腫、膵癌、前立腺癌、腎癌、異所性歯牙および味覚乳頭、皮膚癌、石灰化上皮腫、組織非形成性甲状腺癌腫および子宮癌肉腫、部分的無歯症、骨粗鬆症、老化、変性疾患、褥瘡および／または慢性創傷および創傷治癒障害のためのさらなる処置と共に用いるための、請求項９に記載の医薬組成物。
【請求項１２】
ベータ−カテニンに対するさらなるＲＮＡｉ剤を含む、請求項１１に記載の医薬組成物。
【請求項１３】
個体においてベータ−カテニン遺伝子の発現を阻害するための医薬組成物であって、センス鎖とアンチセンス鎖とを含むＲＮＡｉ剤を含む治療有効量の組成物を含み、アンチセンス鎖が、表１に示すベータ−カテニンに特異的なＲＮＡｉ剤のアンチセンス鎖と０、１、２または３ヌクレオチド異なる少なくとも１５の連続したヌクレオチドを含む、医薬組成物。
【請求項１４】
ベータ−カテニン関連疾患が、大腸腺腫症、結腸直腸癌、基底細胞癌腫、乳癌、腎癌、ウイルムス腫瘍、髄芽腫、卵巣癌、副腎皮質腫瘍、胃癌、肝癌、黒色腫、膵癌、前立腺癌、腎癌、異所性歯牙および味覚乳頭、皮膚癌、石灰化上皮腫、組織非形成性甲状腺癌腫および子宮癌肉腫、部分的無歯症、骨粗鬆症、老化、変性疾患、褥瘡ならびに慢性創傷および／または創傷治癒障害である、請求項１３に記載の医薬組成物。
【請求項１５】
センス鎖とアンチセンス鎖とを含むＲＮＡｉ剤を含むＲＮＡｉ製剤において用いるための医薬であって、アンチセンス鎖が、表１に示すベータ−カテニンに特異的なＲＮＡｉ剤のアンチセンス鎖と０、１、２または３ヌクレオチド異なる少なくとも１５の連続したヌクレオチドを含む医薬。
【請求項１６】
薬学的に有効な製剤中の上記の任意の組成物。
【請求項１７】
治療有効量の請求項１に記載の組成物を個体に投与するステップを含む、個体においてベータ−カテニン関連疾患を処置する方法において用いるための、請求項１に記載の組成物。
【請求項１８】
ベータ−カテニン関連疾患の処置のための医薬の製造における、請求項１に記載の組成物の使用。
【請求項１９】
全てのピリミジンが、２’Ｏ−メチル−改変ヌクレオチドである、請求項１に記載の組成物。
【請求項２０】
全てのピリミジンが、２’Ｏ−メチル−改変ヌクレオチドである、請求項５に記載の組成物。